(57)【要約】【課題】１種類で多種類の壁厚に対応して壁孔に固定し、壁表、壁裏のいずれか一側からの操作により、簡単かつ楽に固定し、部品コストを下げる。【解決手段】内部に配線材が挿通される、筒状に形成された本体２と、前記本体２の外部に設けられた、壁４２の貫通孔４３に取着するための取着部３とを備え、前記取着部３は、前記貫通孔４３に挿入されてその壁裏側周縁に係止する係止部１７と、前記貫通孔４３の壁表側周縁に当接する当接部１０とで構成し、前記本体２の外部に、前記貫通孔４３への挿入側を基端に反挿入側に向けて延出し、前記貫通孔４３を通過する際に前記本体２の内部側に撓むとともに該貫通孔４３を通過した後は前記本体２の外部側に弾性復帰する弾性片１１を設け、前記係止部１７は、前記弾性片１１の自由端１５側に、複数種類の壁厚に対応すべく段階的に複数設けた。【選択図】図２
2008193793.tif 000002
【特許請求の範囲】
【請求項１】
内部に配線材が挿通される、筒状に形成された本体と、
前記本体の外部に設けられた、壁に形成された貫通孔に取着するための取着部と
を備え、
前記取着部は、前記貫通孔に挿入されてその壁裏側周縁に係止する係止部と、前記貫通孔の壁表側周縁に当接する当接部とを備え、
前記本体の外部に、前記貫通孔への挿入側を基端に反挿入側にまたは反挿入側を基端に挿入側に向けて延出し、前記貫通孔を通過する際に前記本体の内部側に撓むとともに該貫通孔を通過した後は前記本体の外部側に弾性復帰する弾性片が設けられ、
前記係止部は、前記弾性片の自由端側に、複数種類の壁厚に対応すべく段階的に複数設けられたことを特徴とする壁孔への固定具。
【請求項２】
前記弾性片は、その自由端側の外面が前記本体側に傾斜し、前記外面に前記複数の係止部が形成されたことを特徴とする請求項１に記載の壁孔への固定具。
【請求項３】
前記本体は、少なくとも前記弾性片が形成された部位を除いて、前記貫通孔の内壁面に沿って当接する外周壁を備えたことを特徴とする請求項１または請求項２に記載の壁孔への固定具。
【請求項４】
前記弾性片は、２個以上設けられたことを特徴とする請求項１乃至請求項３のいずれかに記載の壁孔への固定具。
【請求項５】
前記取着部の当接部に、前記貫通孔の壁表側周縁と当接する弾発材または弾発突起が設けられたことを特徴とする請求項１乃至請求項４のいずれかに記載の壁孔への固定具。
【発明の詳細な説明】
【技術分野】
【０００１】
本発明は、配線ボックス、配電盤、建物の壁等に形成された貫通孔に固定され、内部にケーブル等の配線材が挿通されるブッシング、コネクタ等の、壁孔への固定具に関するものであり、特に、複数種類の壁厚に対応して取着可能な、壁孔への固定具に関するものである。
【背景技術】
【０００２】
従来より、配線ボックス、配電盤等はその壁に形成された貫通孔を介して外部からケーブル等の配線材が引込まれ、或いは外部に引出されている。前記配線ボックス等は金属板や合成樹脂板で形成されており、前記貫通孔はその壁に予め形成され、或いはノックアウトの打抜き等によって形成される。このため、前記貫通孔内に配線材が引込まれ或いは引出されるときに、貫通孔の周縁部に擦られて傷付いたり断線したりすることがあった。配線材が断線すると、その内部の芯線が露出して短絡する危険がある。そこで、前記貫通孔の周縁部を覆うブッシングやコネクタ等の固定具を該貫通孔に固定することにより配線材を保護している。
【０００３】
ここで、前記壁孔に固定される固定具として、例えば、図７に示したブッシング５１が挙げられる。このブッシング５１は、短い略円筒状の本体５２の一端側に配線ボックス４１の壁４２の貫通孔４３に挿入される挿入開口５３が形成され、他端側に前記貫通孔４３の壁表側周縁４４と当接する円環板状の鍔部５４が設けられている。
【０００４】
更に、前記本体５２において円周方向に等間隔の４箇所には、前記鍔部５４における貫通孔４３の壁表側周縁４４と当接する当接面５５に、挿入開口５３側に向けて弾性片５６が立設されている。前記弾性片５６はその自由端側即ち挿入開口５３側の先端部に前記貫通孔４３の壁裏側周縁４５に弾性的に係止する係止爪５７が一体に設けられている。なお、前記円環板状の鍔部５４の中央空間には中心小孔５９から外周側に向けて放射状に切れ込みが形成された保護膜５８が一体に設けられており、この保護膜５８はケーブルＣの挿通を許容するとともに外部から配線ボックス４１内に塵埃、水等が侵入するのを防いでいる。
【０００５】
このブッシング５１を配線ボックス４１の貫通孔４３に取付け、固定するには、本体５２を弾性片５６の外周側への弾性力に抗して挿入開口５３側から前記貫通孔４３に挿入し、鍔部５４の当接面５５が貫通孔４３の壁表側周縁４４に当接するまで押し込む。これにより、ブッシング５１はその係止爪５７が貫通孔４３の壁裏側周縁４５に弾性的に係止し、貫通孔４３に固定される。
【０００６】
しかし、図７に示した従来のブッシング５１は、同図(b)に示すように、鍔部５４と弾性片５６の係止爪５７との間隔が一定であるから、１種類の壁厚の貫通孔４３にしか対応して固定することができず、壁厚が異なる場合にはその都度それに対応するブッシング５１を用意しなければならなかった。このため、多種類のブッシング５１が必要となり、部品コストが上昇し、部品管理も煩わしかった。
【０００７】
これに対して、壁孔に固定される他の固定具として、図８に示すブッシング６１が使用されている。図８に示すブッシング６１は一対のボルト体６２とナット体６３との２部材で構成されている。更に、前記ボルト体６２は外面に雄ねじを有する円筒体６４と、中央孔を有し、前記円筒体６４の一端部に一体に形成された鍔部６５とで形成されている。前記ナット体６３はその内面に形成された雌ねじが前記ボルト体６２の外面の雄ねじに螺着されて該ボルト体６２と組付けられる。
【０００８】
このブッシング６１を配線ボックス４１の貫通孔４３に取付け、固定するには、ボルト体６２の円筒体６４を壁裏側から前記貫通孔４３内に挿入し、鍔部６５を壁４２の壁裏側周縁４５に当接させた後、壁表側に突出した前記ボルト体６２の円筒体６４にナット体６３を壁表側から組付ける。これにより、ブッシング６１はボルト体６２の鍔部６５とナット体６３とで貫通孔４３の周縁の壁４２を挟持する状態で該貫通孔４３に固定される。
【０００９】
前記ブッシング６１を用いた場合は、ボルト体６２の鍔部６５とナット体６３とで貫通孔４３の周縁の壁４２を挟持して該貫通孔４３に固定されるから、１種類で、任意の壁厚の貫通孔４３に対応して固定することができる。この種のブッシングについては、実用新案登録第３０７３９６２号等に開示されている。
【特許文献１】実用新案登録第３０７３９６２号公報
【発明の開示】
【発明が解決しようとする課題】
【００１０】
しかし、前記ボルト体６２とナット体６３とで構成されたブッシング６１は、壁４２を境として壁裏側にボルト体６２が配置され、壁表側にナット体６３が配置されるので、配線ボックス４１ではなく配電盤のように壁４２全体の面積が大きい大型のものに固定する場合には、壁４２の反対面側に配置されるボルト体６２またはナット体６３に手を回してこれを保持できない場合が多く、１人でブッシング６１の取付作業を行なうことは困難であるという不具合があった。
【００１１】
また、貫通孔４３の周辺に他の装着部品等が存在する場合には、それが邪魔となってボルト体６２やナット体６３を手で保持したり、工具を使用したりすることができず、前記ボルト体６２とナット体６３との組付作業を行なうことが困難であったり、行なうことができないことがあった。
【００１２】
更に、前記ブッシング６１はボルト体６２とナット体６３との２部材が必要なため、部品コストが上昇し、その保管等の部品管理も煩わしいものであった。
【００１３】
そこで、本発明は、１種類で多種類の壁厚に対応して壁孔に固定でき、壁表、壁裏のいずれか一側からの操作により、簡単かつ楽に固定でき、部品コストが低廉な壁孔への固定具の提供を課題とするものである。
【課題を解決するための手段】
【００１４】
請求項１の壁孔への固定具は、内部に配線材が挿通される、筒状に形成された本体と、記本体の外部に設けられた、壁に形成された貫通孔に取着するための取着部とを備え、前記取着部は、前記貫通孔に挿入されてその壁裏側周縁に係止する係止部と、前記貫通孔の壁表側周縁に当接する当接部とを備えている。そして、前記本体の外部に、前記貫通孔への挿入側を基端に反挿入側にまたは反挿入側を基端に挿入側に向けて延出し、前記貫通孔を通過する際に前記本体の内部側に撓むとともに該貫通孔を通過した後は前記本体の外部側に弾性復帰する弾性片が設けられ、前記係止部は、前記弾性片の自由端側に、複数種類の壁厚に対応すべく段階的に複数設けられている。
【００１５】
この固定具は、ブッシング、コネクタ等の、内部をケーブル等の配線材が挿通するものが対象となる。本体の外部には貫通孔への挿入側から反挿入側に延出する、または反挿入口側から挿入口側に延出する弾性片が設けられており、係止部はこの弾性片の自由端側つまり基端と反対側の自由に変位できる先端側に設けられている。前記係止部は、例えば請求項２に記載のように、本体側に傾斜した弾性片の自由端側の外面を鋸歯状に形成することによって段階的に複数設けることができる。
【００１６】
前記固定具は、弾性片の自由端側に係止部が段階的に複数設けられているので、壁の貫通孔を通過した弾性片が本体の外部側に弾性復帰して拡張したとき、貫通孔の周縁は前記いずれかの係止部と係止する。これにより、１種類の固定具で多種類の壁厚に対応することができる。また、壁表、壁裏のいずれか一側から固定具を貫通孔内に挿入するだけの簡単な操作で固定することができる。
【００１７】
請求項２の固定具は、請求項１に記載の弾性片の自由端側の外面が、前記本体側に傾斜し、前記外面に複数の係止部が形成されたものである。これにより、固定具は、貫通孔を通過した弾性片が弾性復帰して拡張したとき、本体側に傾斜した弾性片の外面に設けられたいずれかの係止部が貫通孔の周縁に係止し、弾性片の弾性復元力により貫通孔に保持される。
【００１８】
請求項３の固定具は、特に、本体が、少なくとも前記弾性片が形成された部位を除いて、貫通孔の内壁面に沿って当接する外周壁を備えている。即ち、本体の外周壁の外径はほぼ貫通孔の内径と同寸法に形成されている。前記本体の外周壁は、弾性片が形成された部位を除いた全周に至って貫通孔の内壁面に当接するものであってもよく、弾性片が形成された部位を除いた全周のうちのいずれかの部位に部分的に貫通孔の内壁面に当接するものであってもよい。
【００１９】
請求項４の固定具は、特に、弾性片が、２個以上設けられている。弾性片は、３個以上設け、或いは外周壁のほぼ全周に至って多数形成されていると、貫通孔に安定して固定されるが、幅が広ければ、対向する位置に一対設けるだけでもよい。
【００２０】
請求項５の固定具は、特に、取着部の当接部に、貫通孔の壁表側周縁と当接する弾発材または弾発突起が設けられている。ここで、前記弾発材は別体として取着部の当接部に取付けられるものであり、予め貼着等の手段により当接部に取付けてもよく、壁孔に固定する際に取付けて貫通孔の周縁の壁面と当接部とで挟持するものとしてもよい。また、弾発突起は前記取着部の当接部に一体に設けられるものであり、予め当接部の当接面に小突起或いは弾性片などとして一体に形成することができる。
【００２１】
これにより、前記貫通孔の周縁が、固定具の弾性片の外面に段階的に複数形成された係止部のいずれかと係止したとき、固定具の当接部と係止部との間隔が壁厚より多少大きくて管軸方向への僅かながたつきを生じたとしても、前記弾発材または弾発突起がその弾発性により前記若干の寸法差を吸収し、これらを介して係止部と当接部とで貫通孔の周縁部を挟圧するよう作用するので、固定後のがたつきが防止される。また、壁の内外間の気密性が高まる。更に、固定具を壁の貫通孔に固定した部分における振動を吸収できる。
【発明の効果】
【００２２】
請求項１の発明は、弾性片の自由端側に係止部が段階的に複数設けられているので、１種類の固定具で多種類の壁厚に対応することができる。また、壁表、壁裏のいずれか一側からの操作により貫通孔に固定できる。それらの結果、固定具を簡単かつ楽に貫通孔に固定できるとともに、部品コストを下げることができ、部品管理も楽になる。
【００２３】
請求項２の発明は、弾性片の自由端側の外面に複数の係止部が形成されているので、壁前記弾性片の外面を利用して簡易な構成で係止部を形成できる。
【００２４】
請求項３の発明は、本体が貫通孔の内壁面に沿って当接する外周壁を備えているので、貫通孔内において本体の管軸に直交する横方向にがたつくのが規制され、安定して貫通孔に保持できる。
【００２５】
請求項４の発明は、弾性片が２個以上設けられているので、貫通孔に安定して取着できる。
【００２６】
請求項５の発明は、取着部の当接部に、弾発材またはまたは弾発突起が設けられているので、これらの部材を介して係止部と当接部とが貫通孔の周縁部を挟圧し、常に安定した固定状態を得ることができる。
【発明を実施するための最良の形態】
【００２７】
以下、本発明の一実施形態を図１乃至図４に基づいて説明する。ここで、図１は本発明の一実施形態の固定具を示し、(a)は正面図、(b)は右側面図、(c)は背面図である。本実施形態においては、固定具としてブッシングを用いたものを示す。
【００２８】
図１において、ブッシング１は、図７及び図８に示した配線ボックス４１等の壁４２に形成された貫通孔４３に取付けられ、図７及び図８に示す配線材としてのケーブルＣが前記貫通孔４３を通して引き込まれ或いは引き出されるときに該貫通孔４３の周縁部で擦られて傷付いたり断線するのを防止して保護するものである。
【００２９】
前記ブッシング１は、短い円筒状に形成された本体２と、前記本体２の外部に設けられた取着部３とで形成され、合成樹脂材の一体成形により形成することができる。前記本体２は所定肉厚の円筒状の外周壁４で形成されており、内部にケーブルＣが挿通される。前記本体２において、一端側の開口は前記貫通孔４３と対向する挿入開口５となっており、他端側の開口はケーブルＣの引き出し、引き込みが行なわれる引出開口６となっている。前記外周壁４の挿入開口５側の端部は該挿入開口５側に向かうに従って縮径する傾斜面７となって、前記壁４２の貫通孔４３内に外周壁４を挿入し易くしている。
【００３０】
前記本体２の引出開口６側には円環状の鍔部８が一体に設けられており、前記引出開口６の周縁部はアール状に湾曲した湾曲面９に形成され、ケーブルＣが引出開口６から引き出されまたは引出開口６内に引き込まれるときに該ケーブルＣが該引出開口６の周縁部で傷つかないようにしている。前記鍔部８の裏面側は平坦な当接面８ａに形成されており、貫通孔４３の壁表側周縁４４と当接する当接部１０を構成している。
【００３１】
更に、前記本体２の外周壁４には、前記壁４２の貫通孔４３への挿入側である挿入開口５の周縁部を基端として反挿入側である引出開口６側に向けて一定幅の弾性片１１が延設されている。前記弾性片１１は対向して一対設けられており、まず、本体２の外周壁４の面に対して外部側に約４０度の角度で傾斜した第１傾斜部１２が形成されている。次いで、前記弾性片１１は本体２の長さ方向のほぼ中間位置における折曲部１３で反転し、内部側に向けてく字状に折曲している。そして、前記折曲部１３から先端側には外周壁４の面に対して内部側に約３０度の角度で傾斜した第２傾斜部１４が形成されている。前記第２傾斜部１４の先端は自由端１５として内外方向に自由に変位できるようになっている。
【００３２】
前記弾性片１１はその外面１６に内方即ち本体２の内部側に向けて外力が加えられると、前記基端を中心に全体的に内方に弾性的に撓み、外力による押圧が解除されると外方に弾性復帰する。図１(e)に示す、前記外周壁４から最も離間している一対の折曲部１３間の外寸Ｌは壁４２の貫通孔４３の内径より大きくなっているが、固定時において本体２が前記貫通孔４３に挿入される際には該貫通孔４３の内壁面に押圧されて前記本体２の内部側に撓んだときは、前記一対の折曲部１３の外寸は貫通孔４３の内径より僅かに小さくなり、該貫通孔４３内の通過が可能となっている。前記弾性片１１は前記折曲部１３が前記貫通孔４３を通過した後は、該貫通孔４３の内壁面による押圧力がなくなり、前記本体の外部側に弾性復帰する。
【００３３】
更に、前記弾性片１１の自由端１５側の第２傾斜部１４の外面１６は鋸歯状の複数の段部に形成され、これらの段部によって複数の係止部１７が設けられている。この実施形態のブッシング１では折曲部１３に近い側から順に第１係止部１７ａ、第２係止部１７ｂ及び第３係止部１７ｃの３個の係止部が設けられている。ここで、本実施形態において、前記係止部１７は、図１(e)に示すように、鋸歯状の段部の山と山との間の開き角度イは約１０５度に設定されている。なお、前記開き角度イが大き過ぎると、段部の凹凸が浅く緩やかなものとなって、係止が外れ易くなる。前記係止部１７における開き角度イや形状はトライ等によって最適値に設定するのがよい。
【００３４】
前記円環状の外周壁４は、その外径が、一対設けられた前記弾性片１１が形成された部位、箇所を除いて、貫通孔４３の内径とほぼ同寸法に形成され、貫通孔４３の内周壁面に沿って当接するものとなっている。なお、前記外周壁４は、弾性片１１が形成された部位を除いた全周に至って貫通孔４３の内壁面に当接するものであってもよく、弾性片１１が形成された部位を除いた全周のうちのいずれかの部位に部分的に貫通孔４３の内壁面に当接するものであってもよい。
【００３５】
また、前記外周壁４は、前記弾性片１１が設けられている箇所及びその周辺がほぼ平坦面に形成されている、即ち、外周壁４の円の２箇所が弦の形状に凹設されていて、前記平坦面と弾性片１１の自由端１５との間に、該弾性片１１が本体２の内部側に撓むのを許容する撓み空間１８が形成されている。これは、貫通孔４３内を弾性片１１が通過し、かつ係止部１７が貫通孔４３の壁裏側周縁と係止するには、本体２の内部側に往復変位する一定以上の撓み代が必要になるところ、その撓み代を外周壁４の外側のみで確保するためである。
【００３６】
これについて、一定以上の撓み代を確保するためには、弾性片１１の自由端１５が円形状の外周壁４の内部空間に入り込ませるために、前記外周壁４に切欠溝や切欠孔を形成する方法がある。しかし、外周壁４に切欠溝や切欠孔を設けた場合、本体２内に挿通されるケーブルＣが内部に挿入されたり引き戻される時に、前記切欠溝や切欠孔の周縁角部に擦られて傷付くおそれがある。そこで、それを回避すべく、外周壁４に前記切欠溝等を形成することなく、該外周壁４の外側のみにおいて弾性片１１を撓ませるようにしたのである。
【００３７】
但し、ケーブルＣの傷付きを防止するためには、外周壁４の一部を平坦面に形成して該外周壁４の外側のみで撓み代を確保するのが望ましいものの、本発明を実施する場合は、これに限定されるものではなく、前述のように、外周壁４に切欠溝等を設けることによって一定以上の撓み代を確保することを妨げるものではない。
【００３８】
次に、上記のように構成されたブッシング１の貫通孔４３への固定について図２にもとづいて説明する。
まず、厚い壁４２に形成された貫通孔４３に固定するときには、壁表側からブッシング１の挿入開口５を貫通孔４３に対向させ、壁４２の面に直交する方向からそのまま前記貫通孔４３内に真直ぐ挿入する。すると、図２(a)に示すように、ブッシング１の弾性片１１は貫通孔４３の内周壁に押圧されて弾性的に内側に撓み、折曲部１３が前記貫通孔４３に内周壁に到達すると、最大に内方に撓んで縮径する。
【００３９】
そして、前記弾性片１１の折曲部１３が貫通孔４３を抜け出すと、弾性片１１は弾性復帰して外方に拡張しつつ壁内に移動し、やがて、図２(b)に示すように、外面１６において折曲部１３に最も近い位置に形成された第１係止部１７ａが貫通孔４３の壁裏側周縁４５に係止することとなる。この状態においては、第１係止部１７ａと鍔部８の当接面８ａとの間隔は壁厚とほぼ等しいので、前記鍔部８の当接面８ａは壁４２の壁表面に当接してそれ以上内部側に移動するのが阻止され、第１係止部１７ａにおいて係止した状態に維持される。このとき、弾性片１１はその弾性復元力により一対の第１係止部１７ａが貫通孔４３の内壁面を外方に向けて強く押圧することとなり、その押圧力によりブッシング１は貫通孔４３に保持され、固定される。
【００４０】
次に、薄い壁４２に形成された貫通孔４３に固定するときは、同様にして、壁表側からブッシング１を壁４２の面に直交する方向からそのまま貫通孔４３内に真直ぐ挿入する。すると、図２(a)と同様にして、ブッシング１の弾性片１１は貫通孔４３の内周壁に押圧されて弾性的に内部側に撓み、折曲部１３が前記貫通孔４３の内周壁に当接する位置に到達すると、最大に内方に撓む。そして、折曲部１３が貫通孔４３を抜け出すと、弾性片１１は弾性復元力により外方に拡張しつつ壁内に移動し、やがて、まず、第１係止部１７ａが貫通孔４３の壁裏側周縁４５に係止する。しかし、この状態においては、第１係止部１７ａと鍔部８の当接面８ａとの間隔は壁厚より大きいので、ブッシング１は更に内部側への移動が可能な状態にある。
【００４１】
そこで、更に、ブッシング１を押込むと、第１係止部１７ａの鋸歯状の段部が貫通孔４３の壁裏側周縁を乗り越えて上方に移動し、次の第２係止部１７ｂが前記貫通孔４３の壁裏側周縁に係止する。
【００４２】
この第２係止部１７ｂに係止された段階では、第２係止部１７ｂと鍔部８の当接面８ａとの間隔がなおも壁厚より大きいので、ブッシング１は更に内部側への移動が可能である。そこで、更にブッシング１を押込んでいくと、第２係止部１７ｂの鋸歯状の段部が貫通孔４３の壁裏側周縁を乗り越えて上方に移動し、図２(c)に示すように、第３係止部１７ｃが前記貫通孔４３の壁裏側周縁に係止するようになる。
【００４３】
この状態に達すると、第３係止部１７ｃと鍔部８の当接面８ａとの間隔と壁厚とはほぼ等しくなるので、前記鍔部８の当接面８ａは壁４２の壁表面と当接してそれ以上内部側に移動するのが阻止され、第３係止部１７ｃにおいて係止した状態に維持される。これにより、弾性片１１はその弾性復元力により一対の第３係止部１７ｃが貫通孔４３の内壁面を外方に向けて強く押圧することとなり、その押圧力によりブッシング１は貫通孔４３に保持され、固定される。
【００４４】
次に、壁厚がそれらの中間程度であるときは、図示は省略するが、同様の操作により、ブッシング１は、図２の(b)と(c)との中間状態にあって、第２係止部１７ｂが貫通孔４３の壁裏側周縁に係止した状態で固定される。
【００４５】
ここで、このようにして、ブッシング１が貫通孔４３に固定された状態において、本体２の外周壁４は貫通孔４３の内壁面に沿って当接するので、ブッシング１は貫通孔４３の内壁面に対して本体２の管軸に直交する横方向にがたつくのが規制され、安定した状態で貫通孔４３に保持される。
【００４６】
次に、このように構成された本実施形態のブッシング１の作用を説明する。
ブッシング１は、弾性片１１の自由端１５側に段階的に第１係止部１７ａ、第２係止部１７ｂ及び第３係止部１７ｃが設けられており、壁厚が大きい場合は第１係止部１７ａと係止して貫通孔４３に保持され、壁厚が中間厚さの場合は第２係止部１７ｂと係止し、壁厚が小さい場合は第３係止部１７ｃと係止して保持される。このため、１種類で、異なる壁厚に対応して貫通孔４３に固定することができる。
【００４７】
また、本体２に弾性片１１が設けられ、その外面１６に係止部１７が設けられているので、壁表側から単に貫通孔４３に向けてブッシング１を挿入するだけの操作で固定できる。その結果、ブッシング１を簡単かつ楽に貫通孔４３に固定できる。
【００４８】
そして、弾性片１１の自由端１５側の外面１６が本体２側に傾斜し、その外面１６に３個の係止部１７が形成されているので、前記弾性片１１の外面１６を利用して簡易な構成で係止部１７を形成できる。
【００４９】
ところで、上記実施形態において、ブッシング１の鍔部８の当接面８ａには、図３に示すように、スポンジゴム、発泡シート等の弾発性を有する部材からなる弾発材１９を貼着してもよい。これを設けることにより、前記貫通孔４３の周縁が、弾性片１１の複数の係止部１７のいずれかと係止したとき、仮に、鍔部８の当接面８ａと係止部１７との間隔が壁厚より多少大きいことにより管軸方向に僅かながたつきを生じたとしても、前記弾発材１９の弾発性により前記若干の寸法差を吸収する。その結果、貫通孔４３の周縁部が前記弾発材１９を介して係止部１７と鍔部８の当接面８ａとによって挟圧され、ブッシング１をがたつくことなく安定して貫通孔４３に固定することができる。
【００５０】
また、前記弾発材１９に代えて、図４(a)に示すように、鍔部８の当接面８ａに、僅かに撓み空間１８側に突出する半球状の小突起からなる弾発突起２０を一体に突設させてもよい。或いは、図４(b)に示すように、鍔部８の当接面８ａに、撓み空間１８側に突出する弾性片からなる弾発突起２１を一体に設けてもよい。これらを設けた場合も前記弾発材１９を貼着したものと同様に、これらの弾発力によって貫通孔４３の周縁部が前記弾発突起２０或いは弾発突起２１を介して係止部１７と鍔部８の当接面８ａとで挟圧されることとなり、ブッシング１は安定して貫通孔４３に固定される。
【００５１】
次に、上記実施形態においては、弾性片１１は、本体２の外周壁４において、挿入開口５の周縁部を基端として反挿入側である引出開口６側に向けて延設されているが、この逆に、図５(a)に示すように、引出開口６側の鍔部８の当接面８ａに弾性片２２を立設し、ここを基端に前記挿入開口５側に延設するものとすることもできる。即ち、この弾性片２２は、前記鍔部８の当接面８ａを基端とし、斜め外方に傾斜した第１傾斜部２３と、ほぼ中間位置の折曲部２４で反転して内方に向けてく字状に折曲した第２傾斜部２５とで形成されている。そして、前記第２傾斜部２５の先端は自由端２６として内外方向に自由に変位できる部位となっている。
【００５２】
前記弾性片２２の自由端２６側の第２傾斜部２５の外面２７は鋸歯状の複数の段部に形成され、この外面２７に、折曲部２４に近い側から順に第１係止部２８ａ、第２係止部２８ｂ及び第３係止部２８ｃの３個の係止部２８が設けられている。
【００５３】
前記弾性片２２はその外面２７に本体２の内部側に向けて外力が加えられると、鍔部８の当接面８ａの基端を軸に全体的に本体２の内部側即ち外周壁４側に撓み、外力による押圧が解除されると外部側に弾性復帰する。前記折曲部２４は貫通孔４３を通過する際には内方に最大に撓み、通過後、前記本体２の外部側に復帰する。
【００５４】
この弾性片２２を設けたブッシング１は、貫通孔４３に挿入する際、前記弾性片２２の第２傾斜部２５が内部側に傾斜しているので、貫通孔４３内に円滑に挿入することができる。前記ブッシング１は、前記貫通孔４３内に挿入されると、前記実施形態と同様にして、折曲部２４は、図５(b)に示すように、内部側に撓んで縮径する。そして、更に挿入を続けて前記折曲部２４が貫通孔４３を脱すると、弾性片２２は外部側に弾性復帰しつつ移動し、貫通孔４３の壁裏側周縁が壁厚に対応したいずれかの係止部２８と係止し、図５(c)に示す状態に保持され、固定される。
【００５５】
この弾性片２２を設けたブッシング１は、弾性片１１を設けた前記実施形態と同様に、１種類で、多種類の壁厚に対応して貫通孔４３に固定することができ、また、壁表側から単に貫通孔４３に向けて挿入するだけの簡単な操作で楽に固定できる。
【００５６】
加えて、この実施形態のブッシング１は、特に、弾性片２２が鍔部８の当接面８ａの基端を軸に側方に撓むものであるから、軸である前記基端から係止部２８までの距離が短いことにより、前記弾性片１１が形成されたブッシング１と比較して撓み量は小さいものの、前記係止部２８は貫通孔４３の壁裏側周縁４５を図５(c)の矢印で示すやや斜め下方に押圧する。即ち、前記弾性片１１が設けられたブッシング１においては、前記弾性片１１は挿入開口５の周縁部の基端を軸として撓み、その係止部１７は貫通孔４３の内壁面を側方に押圧するのに対し、この実施形態の弾性片２２が設けられたブッシング１では、その係止部２８は貫通孔４３の内壁面を側方に押圧する他、下方即ち鍔部８の当接面８ａ側にもある程度押圧する。これにより、壁４２は鍔部８の当接面８ａに直接押圧されるために、ブッシング１は管軸方向にがたつくのが防止され、安定して貫通孔４３に保持され、固定される。
【００５７】
次に、別例として、壁孔に固定され、内部に配線材が挿通される固定具がコネクタであるものを示す。
図６において、コネクタ３１は、配線ボックス４１の壁４２に形成された貫通孔４３に固定され、配線材を内部に収容して保護する保護管が一側端部に接続されるものである。図６に示すコネクタ３１は保護管として丸パイプ状の波付管が接続される。
【００５８】
前記コネクタ３１は、円筒状に形成された本体３２と、前記本体３２の外部に設けられた取着部３３とで形成され、合成樹脂材により形成することができる。前記本体３２は円筒状の外周壁３２ａで形成されており、内部には配線材のケーブルが挿通される。前記本体３２において、一端側の開口は前記貫通孔４３と対向する挿入開口３４を形成し、他端側の開口は、図示しない丸パイプ状の波付管が接続される接続開口３５を形成している。
【００５９】
更に、前記本体３２の外周壁３２ａの中間部において前記挿入開口３４寄りの位置には、円環状の鍔部３６が一体に設けられている。前記鍔部３６の挿入開口３４側の面は平坦な当接面に形成され、貫通孔４３の壁表側周縁４４と当接する当接部３７を構成している。
【００６０】
前記外周壁３２ａの挿入開口３４側の端部は先端の該挿入開口３４側に向かうに従って縮径する傾斜面となっており、壁４２の貫通孔４３内に外周壁３２ａを円滑に挿入できるようになっている。また、前記本体３２の接続開口３５側の内周壁には、弾性的に外方に撓み、前記波付管の外周凹凸面に係合する複数の係合爪３８が環状に配設されている。
【００６１】
そして、前記本体３２の外周壁３２ａには、挿入開口３４の周縁部を基端として反挿入側である鍔部３６及び接続開口３５側に向けて弾性片３９が延設されている。前記弾性片３９は対向して一対設けられており、前記ブッシング１の弾性片１１と同様の構成となっていて、その自由端３９ａ側の外面３９ｂには第１係止部４０ａ、第２係止部４０ｂ及び第３係止部４０ｃからなる係止部４０が設けられている。なお、前記弾性片３９は前記ブッシング１の弾性片１１と同様の構成であり、その説明は省略する。
【００６２】
即ち、このコネクタ３１は、前記ブッシング１と比較して、基本的に、前記ブッシング１の鍔部８の部分が波付管の接続部となっている点のみが相違する。
【００６３】
したがって、前記コネクタ３１における貫通孔４３との固定部分は前記ブッシング１と同様の構成であるから、同様にして前記貫通孔４３に固定できるし、同様の作用効果を奏する。
【００６４】
ところで、上記各実施形態の弾性片は、対向して一対設けているが、これに限られるものではなく、周方向に等間隔或いは不等間隔で３箇所以上に設けてもよく、また、放射状にスリットを形成するなどして全周に渡って複数設けることもできる。
【００６５】
そして、上記各実施形態における複数の係止部は、鋸歯状に段部を設けることによって形成し、また、弾性片の第１傾斜部または第２傾斜部に設けているが、これらの形状や傾斜面に限定されるものでもない。更に、複数の係止部は、１個の弾性片に壁厚に対応して段階的に３個形成しているが、２個或いは４個以上形成してもよい。
【００６６】
加えて、上記各実施形態の本体は、円筒状に形成しているが、四角筒状、六角筒状等の角筒状に形成したものであってもよい。
【００６７】
更に、本体の外周壁は、弾性片が形成された部位を除いて、貫通孔の内壁面に沿って当接するものとしているが、これに限られるものではない。
【００６８】
そして、本発明の固定具は、配線ボックス４１の壁４２に形成された貫通孔４３に固定するものを示しているが、他に、アウトレットボックス、プールボックス、配電盤、分電盤、エンドカバー等に形成された貫通孔、更に、建物の外壁、仕切壁、天井壁に形成された貫通孔などに固定されるものであって、内部にケーブルが挿通されるものに広く適用することができる。
【図面の簡単な説明】
【００６９】
【図１】本発明の一実施形態のブッシングを示し、(a)は正面図、(b)は右側面図、(c)は背面図、(d)は斜視図、(e)は(a)のＡ−Ａ切断線による断面図、(f)は(a)のＢ−Ｂ切断線による断面図ある。
【図２】図１のブッシングを壁の貫通孔に固定する状態を示す断面図であり、(a)は貫通孔への挿入途中の状態を示し、(b)は大きい壁厚の貫通孔に固定した状態、(c)は小さい壁厚の貫通孔に固定した状態を示す。
【図３】図１のブッシングの変形例を示す断面図である。
【図４】図１のブッシングの別の変形例を示す断面図であり、(a)は小突起からなる弾発突起、(b)は弾性片からなる弾発突起を示す。
【図５】本発明の実施形態における他のブッシングの断面図であり、(a)は壁の貫通孔に挿入する前の状態を示し、(b)は貫通孔への挿入途中の状態、(c)は貫通孔に固定した状態を示す。
【図６】本発明の実施形態のコネクタを示し、(a)は平面図、(b)は正面図、(c)は右側面図、(d)は底面図、(e)は斜視図である。
【図７】従来のブッシングを示し、(a)は斜視図、(b)は平面図である。
【図８】従来の別のブッシングを示す斜視図である。
【符号の説明】
【００７０】
１          ブッシング
２、３２    本体
３、３３    取着部
４、３２ａ  外周壁
５、３４    挿入開口
６          引出開口
７          傾斜面
８、３６    鍔部
８ａ        当接面
１０、３７    当接部
１１、２２、３９  弾性片
１５、２６    自由端
１６、２７    外面
１７、２８、４０  係止部
１７ａ、２８ａ、４０ａ  第１係止部
１７ｂ、２８ｂ、４０ｂ  第２係止部
１７ｃ、２８ｃ、４０ｃ  第３係止部
１９          弾発材
２０、２１    弾発突起
３１          コネクタ
４１          配線ボックス
４２          壁
４３          貫通孔
４４          壁表側周縁
４５          壁裏側周縁
Ｃ            ケーブル
【図１】
2008193793.tif 000003
【図２】
2008193793.tif 000004
【図３】
2008193793.tif 000005
【図４】
2008193793.tif 000006
【図５】
2008193793.tif 000007
【図６】
2008193793.tif 000008
【図７】
2008193793.tif 000009
【図８】
2008193793.tif 000010